(57)【要約】【課題】本体強度の向上を図るとともに、配線作業の効率化を図ることが可能な販売登録装置を提供する。【解決手段】商品から情報を読み取る読取部と、チェックアウトカウンタの上面に立設され、前記読取部を収納する略箱状の本体部と、前記本体部の上方に取り付けられた表示部と、前記本体部の両側面に設けられ、当該本体部を両側面から支持する支持部と、を備え、前記支持部は、前記本体部の側面との間に、配線経路となるスペースを形成する。【選択図】図４
2019153164.tif 000002
【特許請求の範囲】
【請求項１】
商品から情報を読み取る読取部と、
チェックアウトカウンタの上面に立設され、前記読取部を収納する略箱状の本体部と、
前記本体部の上方に取り付けられた表示部と、
前記本体部の両側面に設けられ、当該本体部を両側面から支持する支持部と、
を備え、
前記支持部は、前記本体部の側面との間に、配線経路となるスペースを形成する販売登録装置。
【請求項２】
前記支持部の下端側は、前記チェックアウトカウンタに固定される請求項１に記載の販売登録装置。
【請求項３】
前記支持部は、前記本体部の高さ方向に亘って延設された、断面が馬蹄状の柱状部材で形成され、当該断面の凹側が前記本体部の側面に対向するよう取り付けられる請求項１又は２に記載の販売登録装置。
【請求項４】
前記本体部は、前記読取部を収納可能な略箱状の収納体を鉛直方向に重ねて構成され、
前記支持部は、前記収納体の各々を当該収納体の両側面から支持する請求項１〜３の何れか一項に記載の販売登録装置。
【請求項５】
前記収納体は、その側面に前記スペースに連通した第１貫通穴を有し、
前記支持部は、前記第１貫通穴に対向する位置に第２貫通穴を有する請求項４に記載の販売登録装置。
【発明の詳細な説明】
【技術分野】
【０００１】
本発明の実施形態は、販売登録装置に関する。
【背景技術】
【０００２】
従来、販売対象の商品の登録を行う販売登録装置と、販売登録装置で登録された商品の販売登録データに基づき決済処理を実行する会計装置とを、ネットワーク接続したチェックアウトシステムが利用されている。係るチェックアウトシステムでは、商品の登録と決済とを複数の店員で分業する構成（二人制方式）や、客自身が決済を行う構成（セミセルフ方式）とすることが可能である。
【０００３】
上記のチェックアウトシステムでは、省スペース化等のため、縦型スキャナと呼ばれるタイプの販売登録装置が使用されている。このような販売登録装置では、チェックアウトカウンタ上に立設した本体部内に読取装置等を収納し、本体部の上方に表示装置を備える構成が知られている。
【０００４】
ところで、近年では表示画面の大型化が進んでおり、販売登録装置の制御ユニットや電源ユニットを表示装置が備える構成も存在している。このような場合、表示装置の重量が増加することになるが、従来の販売登録装置の構成では、本体部の強度不足から揺れやガタツキ等が発生し、表示装置を安定して保持することができない可能性がある。また、表示装置が制御ユニットや電源ユニットを備える場合、表示装置に配線が集中することになるが、従来の販売登録装置の構成では、表示装置に至る配線経路は特段考慮されていないため、配線作業が煩雑化する可能性がある。
【発明の概要】
【発明が解決しようとする課題】
【０００５】
本発明が解決しようとする課題は、本体強度の向上を図るとともに、配線作業の効率化を図ることが可能な販売登録装置を提供することである。
【課題を解決するための手段】
【０００６】
実施形態の販売登録装置は、商品から情報を読み取る読取部と、チェックアウトカウンタの上面に立設され、前記読取部を収納する略箱状の本体部と、前記本体部の上方に取り付けられた表示部と、前記本体部の両側面に設けられ、当該本体部を両側面から支持する支持部と、を備え、前記支持部は、前記本体部の側面との間に配線経路となるスペースを形成する。
【図面の簡単な説明】
【０００７】
【図１】図１は、実施形態に係るチェックアウトシステムの一例を示す斜視図である。
【図２】図２は、図１に示した販売登録装置を正面側から見た図である。
【図３】図３は、図１に示した販売登録装置を背面側から見た図である。
【図４】図４は、図１に示した筐体の内部構成の一例を示す斜視図である。
【図５】図５は、図４に示した筐体の内部構成を正面側から見た図である。
【図６】図６は、図４に示した位置Ａ１の断面を示す図である。
【発明を実施するための形態】
【０００８】
以下に添付図面を参照して、本発明に係る販売登録装置の実施形態を詳細に説明する。以下の実施形態では、二人制方式やセミセルフ方式等のチェックアウトシステムで用いられる販売登録装置について説明するが、本発明はこの実施形態に限定されるものではない。
【０００９】
図１は、実施形態に係るチェックアウトシステム１の一例を示す斜視図である。図２は、図１に示した販売登録装置１０を正面側（オペレータ側）から見た図である。図３は、図１に示した販売登録装置１０を背面側（客側）から見た図である。
【００１０】
チェックアウトシステム１は、横長テーブル状のチェックアウトカウンタ２を有する。チェックアウトカウンタ２の上面には、平坦な荷受面３が形成されている。荷受面３には、商品を収納する買い物カゴ（図示せず）等が載置される。
【００１１】
チェックアウトカウンタ２の長手方向の略中央領域には、販売登録装置１０が設置される。販売登録装置１０は、縦型タイプのスキャナ装置（縦型スキャナ）である。販売登録装置１０は、荷受面３において、オペレータから見て奥側に位置付けられる。販売登録装置１０は、決済端末（図示せず）等の外部装置と通信可能に接続される。
【００１２】
販売登録装置１０は、荷受面３に立設された筐体１１を主体に構成される。筐体１１は、販売登録装置１０の動作に係る各種の機器を収納する。筐体１１は、例えば、読取部２１及びプリンタ部２２を内部に備える。
【００１３】
読取部２１は、読取窓２１ａを介して、商品に付されたコードシンボルや当該商品の特徴等、販売登録の対象となる商品から当該商品に関する情報を読み取る読取装置である。読取部２１は、読取窓２１ａから読取光を照射する照明、その反射光を受光するイメージセンサ、イメージセンサの出力信号に関してデコード処理を実行するデコーダ等（何れも図示せず）を具備する。
【００１４】
プリンタ部２２は、レシート等の印刷部を印刷（発行）する印刷装置である。プリンタ部２２は、印刷媒体である用紙を収納するための用紙収納部、用紙収納部に収納された用紙を排紙口２２ａに搬送する搬送部、排紙口２２ａに搬送される用紙に印刷を行う印刷部等（何れも図示せず）を具備する。
【００１５】
筐体１１の表面（正面及び背面）には、パネル部１２（１２Ｆ、１２Ｂ）が着脱自在に取り付けられる。パネル部１２は、例えば樹脂等の板状部材によって形成され、筐体１１の表面をカバーする。ここで、筐体１１の正面側に取り付けられるパネル部１２Ｆには、読取部２１及びプリンタ部２２の正面（インタフェース）を露出させた状態で筐体１１の正面を覆うことができるよう、開口部１２Ｆａ、１２Ｆｂが設けられている。
【００１６】
筐体１１の上部には、表示部１３が取り付けられる。表示部１３は、液晶ディスプレイ等の表示デバイスを備えた表示装置である。表示部１３は、筐体１１の正面よりも手前側に延出させて設けられ、その前部が下方下がりに傾斜している。表示部１３は、販売登録装置１０を操作するオペレータ用のディスプレイとして使用される。なお、表示部１３は、タッチパネル構成であってもよい。また、表示部１３は、販売登録装置１０の電源ユニットや、ＣＰＵ（Central  Processing  Unit）やＲＯＭ（Read  Only  Memory）、ＲＡＭ（Random  Access  Memory）等で構成される販売登録装置１０の制御ユニット等を備えてもよい。
【００１７】
操作部１４は、表示部１３に隣接して設けられる。図１の例では、操作部１４は、オペレータから見て表示部１３の右隣に設けられている。操作部１４は、キーボード等の入力デバイスを有する。
【００１８】
また、荷受面３には、筐体１１の足部１１３（図４、図５参照）が差し込まれる貫通穴（図示せず）が形成されている。筐体１１の足部１１３を荷受面３の貫通穴に差し込むことで、筐体１１が荷受面３上に固定（立設）される。荷受面３上に立設される販売登録装置１０の高さは、オペレータの目の高さ程度とすることが好ましい。
【００１９】
なお、販売登録装置１０の構成は、上記の例に限らないものとする。例えば、販売登録装置１０は、表示画面を販売登録装置１０の背面側に向けた客用の表示部（客用表示部）を備えてもよい。客用表示部は、例えば、表示部１３の背面や表示部１３に隣接した位置（操作部１４と逆の位置）に取り付けることができる。
【００２０】
次に、図４〜図６を参照して、販売登録装置１０（筐体１１）の内部構成について説明する。図４は、図１に示した筐体１１の内部構成の一例を示す斜視図である。図５は、図４に示した筐体１１の内部構成を正面側から見た図である。図６は、図４に示した位置Ａ１の断面を示す図である。なお、図４〜図６は、販売登録装置１０からパネル部１２、表示部１３及び操作部１４を取り除いた状態を示している。
【００２１】
図４〜図６に示すように、筐体１１は、本体部１１１と、支持部１１２とを備える。本体部１１１は、全体として、鉛直方向である高さ方向（Ｚ方向）に長い略箱状の形状を有する。本体部１１１は、高さ方向に多段に重ねた複数（２つ）のフレーム部１１１１によって形成される。
【００２２】
フレーム部１１１１は、例えば金属板によって形成され、略箱型の形状を有する。フレーム部１１１１は、高さ方向に重畳される。重畳されたフレーム部１１１１は、溶接やネジ止め等によって一体化（接合）されることで、本体部１１１を構成する。このように、本体部１１１は、フレーム部１１１１によって区分けされた複数のブロックによって構成される。
【００２３】
フレーム部１１１１は、正面側に開口部１１１１ａを有し、上述した読取部２１やプリンタ部２２等の機器を収納可能な空間（収納体）を形成する。正面にインタフェースを備える機器では、そのインタフェースが販売登録装置１０の正面側を向くようにフレーム部１１１１内に収納される。例えば、読取部２１は、入力インタフェースとなる読取窓２１ａが正面側に向けて収納される（図１参照）。また、プリンタ部２２は、出力インタフェースとなる排紙口２２ａが正面側に向けて収納される（図１参照）。
【００２４】
収納対象の機器は、読取部２１及びプリンタ部２２に限らないものとする。例えば、フレーム部１１１１は、販売登録装置１０の制御ユニットや電源ユニットを収納してもよい。また、フレーム部１１１１は、カードリーダ等の周辺機器を収納してもよい。
【００２５】
また、フレーム部１１１１に収納した機器は、フレーム部１１１１内で固定してもよいし、フレーム部１１１１から出し入れ可能な状態で設置してもよい。後者の場合、フレーム部１１１１は、収納された機器や当該機器が載置される載置面を、販売登録装置１０の正面方向にスライドさせることが可能なスライド機構を備えてもよい。これにより、オペレータは、フレーム部１１１１内に収納した電子機器を容易に出し入れすることができる。例えば、フレーム部１１１１内にプリンタ部２２を収納する場合、オペレータは、用紙の入れ替え等の度にプリンタ部２２にアクセスすることになる。この場合、フレーム部１１１１にスライド機構を設けることで、プリンタ部２２へのアクセスを容易に行うことができるため、利便性の向上を図ることができる。
【００２６】
フレーム部１１１１の側面には、貫通穴であるケーブル穴１１１１ｂが設けられている。ケーブル穴１１１１ｂは、フレーム部１１１１内に収納した機器と他の機器との間を繋ぐケーブル（信号線や電線等）を通過させるためのものである。
【００２７】
フレーム部１１１１のサイズは、収納対象の機器を収納することが可能であれば、特に問わないものとする。なお、図４、図５では、フレーム部１１１１のサイズを同一としているが、これに限らないものとする。但し、高さ方向に重畳させる構造上の理由から、フレーム部１１１１の幅方向（Ｘ方向）及び奥行き方向（Ｙ方向）のサイズは、同等とすることが好ましい。また、フレーム部１１１１の高さ方向（Ｚ方向）のサイズについては、各フレーム部１１１１間で同じとしてもよいし、収納する機器のサイズに応じて相違させてもよい。また、重畳するフレーム部１１１１の段数は２段に限らず、３段以上としてもよい。
【００２８】
フレーム部１１１１に機器が収納されると、本体部１１１の正面側にはパネル部１２Ｆが取り付けられる。これにより、フレーム部１１１１の開口部１１１１ａは、パネル部１２Ｆによって覆われることになる（図１、図２参照）。なお、上述したように、フレーム部１１１１に収納された機器のインタフェースは、パネル部１２Ｆに設けられた開口部１２Ｆａ、１２Ｆｂから露出する。これにより、オペレータは、パネル部１２Ｆが取り付けられた状態でも各機器のインタフェースにアクセスすることができる。
【００２９】
本体部１１１の両側部（側面）には、支持部１１２が取り付けられる。支持部１１２は、本体部１１１の高さ方向に亘って延設された断面が馬蹄状の柱状（板状）部材であり、例えば金属板等によって形成される。支持部１１２は、本体部１１１を両側面から支持する。
【００３０】
具体的には、支持部１１２は、断面が略コの字状の側面部１１２１と、側面部１１２１の両端から外側に向けて延設された延設部１１２２とを有する。側面部１１２１は、支持部１１２を本体部１１１に取り付けた際に、筐体１１（本体部１１１）の側面となる部位である。延設部１１２２は、支持部１１２を本体部１１１に取り付ける際に、本体部１１１に接合される部位である。なお、支持部１１２の幅方向（Ｙ方向）のサイズは、本体部１１１の奥行き方向のサイズと略同等であり、支持部１１２の高さ方向（Ｚ方向）のサイズは、本体部１１１の高さ方向のサイズよりも長く形成されている。
【００３１】
支持部１１２は、溶接やネジ止め等によって本体部１１１の側面に固定（接合）される。具体的には、支持部１１２の上端が本体部１１１の上面と略同等の高さに揃えられた状態で、側面部１１２１の両端に設けられた延設部１１２２が、本体部１１１の高さ方向に亘って本体部１１１の側面に接合される。つまり、支持部１１２は、コの字状の段面の凹側が本体部１１１の側面に対向するよう取り付けられる。
【００３２】
なお、支持部１１２の下端部分、つまり本体部１１１の下面から突出した支持部１１２の部分は、筐体１１の足部１１３となる。足部１１３は、荷受面３の貫通穴に差し込まれる。これにより、支持部１１２は、荷受面３（チェックアウトカウンタ２）に固定される。
【００３３】
本体部１１１と支持部１１２との一体化により、本体部１１１の側面と側面部１１２１との間には、配線経路となる間隙１１２３（スペース）が本体部１１１の高さ方向に亘って形成される。間隙１１２３は、本体部１１１の側面のケーブル穴１１１１ｂに接続される。これにより、筐体１１では、フレーム部１１１１間の配線や、フレーム部１１１１と表示部１３との間の配線を、間隙１１２３を通じて行うことができる。
【００３４】
支持部１１２の側面部１１２１には、貫通穴（第２貫通穴）であるガイド穴１１２１ａが設けられている。ガイド穴１１２１ａは、指やケーブル等を挿入可能な大きさを有し、間隙１１２３に連通する。ガイド穴１１２１ａには、間隙１１２３内で配線を引き回す際に指等が挿入される。これにより、販売登録装置１０では、間隙１１２３内での配線を容易に行うことできるため、配線作業の効率化を図ることができる。
【００３５】
さらに、フレーム部１１１１のケーブル穴１１１１ｂと、支持部１１２のガイド穴１１２１ａとは、図６に示したように、対向する位置に設置することが好ましい。ケーブル穴１１１１ｂとガイド穴１１２１ａとを対向させることで、筐体１１の内と外とでケーブルの挿通を容易に行うことができるため、配線作業の効率化を図ることができる。
【００３６】
また、支持部１１２の側面部１１２１に、ガイド穴１１２１ａ以外の構成を設けてもよい。例えば、筐体１１の側面にカバー（パネル部１２）を取り付ける場合、側面部１１２１は、パネル部１２を取り付けるための取付部を備えてもよい。また、筐体１１の側面に水平方向に延出した棚板（アーム部）を取り付ける場合、側面部１１２１は、アーム部を取り付けるための取付部を備えてもよい。
【００３７】
なお、表示部１３は、本体部１１１の上面に取り付けられる（図１〜図３参照）。具体的には、表示部１３は、チルト機構等を備えた保持具１３ａ（図３参照）等を用いて本体部１１１の上面に取り付けられる。そして、表示部１３の側部に操作部１４が取り付けられることになる。
【００３８】
ところで、近年では表示画面の大型化が進んでおり、表示部１３の重量も増加する傾向にある。また、上述したように、表示部１３が販売登録装置１０の制御ユニットや電源ユニットを備える構成も可能であるが、表示部１３の重量は、制御ユニットや電源ユニットを未搭載の構成と比較して増加することになる。
【００３９】
これに対し、販売登録装置１０では、支持部１１２によって本体部１１１を両側面から支持するため、本体部１１１の剛性（強度）を向上させることができる。これにより、販売登録装置１０では、揺れやガタツキ等の発生を抑えることができるため、本体部１１１の上部に取り付けられる表示部１３や操作部１４等を安定して保持することができる。
【００４０】
また、上述した表示部１３及び操作部１４の構成では、販売登録装置１０の軸（筐体１１）から離れた位置に操作部１４が設けられる。そのため、操作部１４に対して押下操作が行われると、販売登録装置１０の軸周りに発生したモーメントにより、筐体１１（本体部１１１）にねじり方向の力がかかることになる。
【００４１】
一方、販売登録装置１０では、支持部１１２によって本体部１１１を両側面から支持するため、ねじり方向等の力に対する剛性（強度）を向上させることができる。これにより、販売登録装置１０では、操作部１４の押下操作が行われた場合であっても、揺れやガタツキの発生を抑えることができるため、操作部１４の操作性や安定性を向上させることができる。さらに、販売登録装置１０では、本体部１１１の剛性（強度）向上によって、本体部１１１のスリム化を図ることができるため、荷受面３のスペースを広く確保することができる。
【００４２】
また、表示部１３が制御ユニットや電源ユニットを具備する構成とした場合、当該表示部１３に配線が集中することになる。これに対し、販売登録装置１０では、支持部１１２と本体部１１１との間の間隙１１２３が配線通路となるため、間隙１１２３を通じて、フレーム部１１１１間の配線や、フレーム部１１１１と表示部１３との間の配線を容易に行うことができる。また、販売登録装置１０では、間隙１１２３に連通するケーブル穴１１１１ｂを、フレーム部１１１１の各々に設けているため、フレーム部１１１１と間隙１１２３との間の配線を容易に行うことができる。したがって、販売登録装置１０では、自装置が備える機器間の配線作業を効率的に行うことができる。
【００４３】
以上、本発明の実施形態について説明したが、本発明はこれに限定されるものではなく、本発明の主旨を逸脱しない範囲での種々の変更、置換、追加、組み合せ等が可能である。
【００４４】
例えば、上記実施形態では、フレーム部１１１１の正面側を開口としたが、フレーム部１１１１の背面側を開口させる構成としてもよい。この構成により、例えば、客に操作させるインタフェースを有した機器をフレーム部１１１１に収納する場合に、当該インタフェースをフレーム部１１１１の背面側に向けて収納する。これにより、フレーム部１１１１に収納した機器を客に操作させることができる。なお、筐体１１の背面側に取り付けるパネル部１２Ｂには、パネル部１２Ｆと同様に、機器のインタフェースを露出させるための開口が設けられるものとする。
【００４５】
また、上記実施形態では、複数のフレーム部１１１１を多段に重ねて本体部１１１を形成する例を説明したが、これに限らないものとする。例えば、本体部１１１は、一のフレーム部１１１１の内部に、一又は複数段の棚板を設けたものであってもよい。なお、この場合、本体部１１１（フレーム部１１１１）は、棚板によって区分された空間（収納体）毎に、上記したケーブル穴１１１１ｂを備えるものとする。
【００４６】
また、支持部１１２の断面形状は上記実施形態の例に限らず、本体部１１１との間に間隙１１２３を形成することが可能であれば他の形状であってもよい。例えば、支持部１１２（側面部１１２１）の断面を、上記したコの字状以外の馬蹄状（Ｃ字状、Ｕ字状）としてもよい。この場合、支持部１１２（側面部１１２１）は、図４と同様に、馬蹄状の断面の凹側を本体部１１１の側面に対向させて取り付けることで、本体部１１１との間に間隙１１２３を形成することができる。なお、延設部１１２２は、側面部１１２１の両端部から外側に向けて延設してもよいし、内側に向けて延設してもよい。
【００４７】
また、支持部１１２は、内部に中空領域を有する角パイプ等の柱状（筒状）部材としてもよい。この場合、支持部１１２の断面形状は特に問わないものとするが、本体部１１１に取り付けることが可能な形状を有するものとする。また、支持部１１２は、本体部１１１に取り付けられる面側のケーブル穴１１１１ｂに対向する位置に、ケーブル穴１１１１ｂに連通する貫通穴を備えるものとする。また、支持部１１２は、筐体１１の側面となる面側に、上述したガイド穴１１２１ａ等を備えるものとする。これにより、支持部１１２は、自身の中空領域により、本体部１１１との間に間隙１１２３を形成することができる。
【００４８】
また、支持部１１２の側面部１１２１に、カバー部材となるパネル部を取り付ける構成としてもよい。側面部１１２１にパネル部を取り付ける方法は特に問わず、例えば、側面部１１２１のガイド穴１１２１ａを利用して取り付ける構成としてもよい。
【符号の説明】
【００４９】
１  チェックアウトシステム
２  チェックアウトカウンタ
３  荷受面
１０  販売登録装置
１１  筐体
１１１  本体部
１１１１  フレーム部
１１１１ａ  開口部
１１１１ｂ  ケーブル穴
１１２  支持部
１１２１  側面部
１１２１ａ  ガイド穴
１１２２  延設部
１１２３  間隙
１２、１２Ｆ、１２Ｂ  パネル部
１３  表示部
１４  操作部
２１  読取部
２２  プリンタ部
【先行技術文献】
【特許文献】
【００５０】
【特許文献１】特開２０１０−２５７１２０号公報
【図１】
2019153164.tif 000003
【図２】
2019153164.tif 000004
【図３】
2019153164.tif 000005
【図４】
2019153164.tif 000006
【図５】
2019153164.tif 000007
【図６】
2019153164.tif 000008